(57)【特許請求の範囲】
【請求項１】
手袋を織る機械を通じて複数本の糸が編成されて手袋本体と指部分とが構成され、少なくとも指部分の一部は、電気が通るように形成されたスマートフォン用手袋であって、
前記糸は、
ナノ金属単繊維とウールまたはアクリル材質のベース糸単繊維とが共に紡績された後、特定の色に染められた導電性糸と、
前記染められた導電性糸の色に合せて染められたウールまたはアクリル材質のベース糸と、
からなり、
前記指部分は、前記導電性糸が２本ずつ撚れて形成された撚糸で編成され、前記手袋本体は、ベース糸が２本ずつ撚れて形成された撚糸で編成される、スマートフォン用手袋。
【請求項２】
前記手袋を織る機械を通じて供給された糸が編成される過程で前記手袋本体と指部分とは、導電性糸が１〜２本供給される中で前記ベース糸が３〜５本供給されて編成されることを特徴とする、請求項１に記載のスマートフォン用手袋。
【請求項３】
前記手袋本体と指部分とが前記導電性糸とベース糸が撚れて形成された撚糸で編成されることを特徴とする、請求項１に記載のスマートフォン用手袋。
【請求項４】
前記手袋を織る機械を通じて前記手袋本体と指部分とが編成される過程で前記導電性糸とベース糸が撚れた撚糸が４〜７本供給されて編成されることを特徴とする、請求項３に記載のスマートフォン用手袋。
【請求項５】
前記手袋を織る機械を通じて手袋本体と指部分とが編成される過程で前記指部分は、前記導電性糸が２本ずつ撚れた撚糸が１〜２本供給される中で前記ベース糸が２本ずつ撚れた撚糸が３〜５本供給されて編成され、前記手袋本体は、ベース糸が２本ずつ撚れた撚糸が４〜７本供給されて編成されることを特徴とする、請求項１に記載のスマートフォン用手袋。
【請求項６】
前記導電性糸は、ナノ金属単繊維２０〜３０％、前記ベース糸単繊維７０〜８０％で紡績された糸からなることを特徴とする、請求項１〜５のいずれか一項に記載のスマートフォン用手袋。
【請求項７】
手袋を織る機械を通じて複数本の糸が編成されて手袋本体と指部分とが構成され、少なくとも指部分の一部は、電気が通るように形成されたスマートフォン用手袋であって、
前記糸は、
ナノ金属単繊維とウールまたはアクリル材質のベース糸単繊維とが共に紡績された後、特定の色に染められた導電性糸と、
前記染められた導電性糸の色に合せて染められたウールまたはアクリル材質のベース糸と、
からなり、
前記指部分は、前記導電性糸とベース糸が撚れて形成された撚糸で編成され、前記手袋本体は、ベース糸が２本ずつ撚れて形成された撚糸で編成される、スマートフォン用手袋。
【請求項８】
前記手袋を織る機械を通じて前記手袋本体と指部分とが編成される過程で前記指部分は、前記導電性糸とベース糸が撚れた撚糸が１〜２本供給される中で前記ベース糸が２本ずつ撚れた撚糸が３〜５本供給されて編成され、前記手袋本体は、ベース糸が２本ずつ撚れた撚糸が４〜７本供給されて編成されることを特徴とする、請求項７に記載のスマートフォン用手袋。
【請求項９】
前記導電性糸は、ナノ金属単繊維２０〜３０％、前記ベース糸単繊維７０〜８０％で紡績された糸からなることを特徴とする、請求項７、または８に記載のスマートフォン用手袋。
【請求項１０】
手袋を織る機械を通じて複数本の糸が編成されて手袋本体と指部分とが構成され、少なくとも指部分の一部は、電気が通るように形成されたスマートフォン用手袋であって、
前記糸は、
ナノ金属単繊維とウールまたはアクリル材質のベース糸単繊維とが共に紡績された後、特定の色に染められた導電性糸と、
前記染められた導電性糸の色に合せて染められたウールまたはアクリル材質のベース糸と、
からなり、
前記手袋を織る機械を通じて供給された糸が編成される過程で前記指部分は、前記導電性糸が１〜２本供給される中でベース糸が３〜５本供給されて編成され、前記手袋本体は、ベース糸が４〜７本供給されて編成される、スマートフォン用手袋。
【発明の詳細な説明】
【技術分野】
【０００１】
本発明はスマートフォン用手袋に関し、さらに詳しくは、手袋を嵌めた状態でも静電式タッチスクリーンが取り付けられたスマートフォンの作動が可能であるだけでなく、導電性糸の染色が可能であり、ベース糸との色の調和が有利なスマートフォン用手袋に関する。
【背景技術】
【０００２】
電子機器に取り付けられるディスプレイパネルは、情報を表示する表示手段として用いられるだけでなく、情報を入力する入力手段として用いられている。このように電子機器の入力手段としても用いられるディスプレイパネルとしては、圧電式ディスプレイパネルや、静電式ディスプレイパネルなどが挙げられる。圧電式ディスプレイパネルは、表面に所定の圧力が加えられる場合に動作が行われ、静電式ディスプレイパネルは、人体が接触する場合に動作が行われる。
【０００３】
一方、スマートフォン、タブレットＰＣなどのような大半のモバイル機器には、入力手段としてタッチ方式のディスプレイパネルが適用されている。
【０００４】
ところが、静電式ディスプレイパネルが取り付けられた電子機器の場合、一般の手袋を嵌めた状態では電子機器の作動のためにディスプレイパネルをタッチしてもユーザの所望する動作が遂行され得なかった。すなわち、手袋を嵌めた状態でディスプレイパネルの表面をタッチしても、ディスプレイパネルに人体が直接接触した時に対応する静電気量が発生せず、動作が行われない。したがって、寒さや作業条件上、手を保護するための手袋を嵌めた状態において、静電式ディスプレイパネルが取り付けられた電子機器を使用するためには、手袋を外さなければならないという不便があった。
【０００５】
一方、近年は手袋を嵌めた状態でも静電式ディスプレイパネルが取り付けられた電子機器を使用できるようにしたスマートフォン用手袋が公開されている。このようなスマートフォン用手袋は、指部分を構成する糸の一部が導電性糸からなることによって、人体から発生する静電気が手袋の導電性糸を通じて静電式ディスプレイパネルまで伝わる。
【０００６】
従来のスマートフォン用手袋を織る過程で用いられる導電性糸は、合成繊維の表面に銅や銀などの金属がコーティングされた構造からなる。ところが、合成繊維の表面に金属がコーティングされた導電性糸は価格が高く、弾力性と保温性に劣るだけでなく、金属成分でコーティングされているため、染色が自由にできないという短所がある。
【０００７】
したがって、従来の導電性糸を用いて指部分など一部にのみ電気が通るように手袋を製作する場合、導電性糸が用いられた部分と導電性糸が用いられていない部分との色が異なり、デザインの側面において不利になるという短所があった。
【０００８】
また、手袋のデザインを考慮して手袋の表面は、一般のウールまたはアクリル材質の糸を用い、手袋の内部にのみ導電性糸が配置されるように手袋を製作する場合があるが、この場合には、静電式ディスプレイパネルの作動性能が低下するという短所があった。
【０００９】
さらに、導電性糸が用いられた部分と導電性糸が用いられていない部分間の厚さの差による断層が生じ、手袋のデザインが良くならなくなるという問題があった。
【発明の概要】
【発明が解決しようとする課題】
【００１０】
本発明は上記従来技術の諸問題を勘案してなされたものであって、その目的は、手袋を嵌めた状態でも静電式タッチスクリーンが取り付けられたスマートフォンの作動が可能なスマートフォン用手袋を提供することにある。
【００１１】
また、本発明の他の目的は、手袋を織るのに用いられた導電性糸の染色が自由にできることによって、手袋のベース糸との色の調和が有利であり、良いデザインの手袋を提供できるスマートフォン用手袋を提供することにある。
【００１２】
本発明の目的は、以上で言及したものに制限されず、言及していない他の目的は、下記の記載から本発明の属する技術分野における通常の知識を有する者に明確に理解されうる。
【課題を解決するための手段】
【００１３】
上記課題を解決するための本発明の一実施形態に係るスマートフォン用手袋は、手袋を織る機械を通じて複数本の糸が編成されて手袋本体と指部分とが構成され、少なくとも指部分の一部は、電気が通るように形成されたスマートフォン用手袋であって、上記糸は、ナノ金属単繊維とウールまたはアクリル材質のベース糸単繊維が共に紡績された後、特定の色に染められた導電性糸と、上記染められた導電性糸の色に合せて染められたウールまたはアクリル材質のベース糸とからなる。
【００１４】
上記手袋を織る機械を通じて供給された糸が編成される過程で上記手袋本体と指部分とは、導電性糸が１〜２本供給される中で上記ベース糸が３〜５本供給されて編成されうる。
【００１５】
上記手袋を織る機械を通じて供給された糸が編成される過程で上記指部分は、上記導電性糸が１〜２本供給される中でベース糸が３〜５本供給されて編成され、上記手袋本体は、ベース糸が４〜７本供給されて編成されうる。
【００１６】
上記手袋本体と指部分とが上記導電性糸とベース糸が撚れて形成された撚糸で編成されうる。
【００１７】
上記手袋を織る機械を通じて上記手袋本体と指部分とが編成される過程で上記導電性糸とベース糸が撚れた撚糸が４〜７本供給されて編成されうる。
【００１８】
上記指部分は、上記導電性糸が２本ずつ撚れて形成された撚糸で編成され、上記手袋本体は、ベース糸が２本ずつ撚れて形成された撚糸で編成されうる。
【００１９】
上記手袋を織る機械を通じて手袋本体と指部分とが編成される過程で上記指部分は、上記導電性糸が２本ずつ撚れた撚糸が１〜２本供給される中で上記ベース糸が２本ずつ撚れた撚糸が３〜５本供給されて編成され、上記手袋本体は、ベース糸が２本ずつ撚れた撚糸が４〜７本供給されて編成されうる。
【００２０】
上記指部分は、上記導電性糸とベース糸が撚れて形成された撚糸で編成され、上記手袋本体は、ベース糸が２本ずつ撚れて形成された撚糸で編成されうる。
【００２１】
上記手袋を織る機械を通じて上記手袋本体と指部分とが編成される過程で上記指部分は、上記導電性糸とベース糸が撚れた撚糸が１〜２本供給される中で上記ベース糸が２本ずつ撚れた撚糸が３〜５本供給されて編成され、上記手袋本体は、ベース糸が２本ずつ撚れた撚糸が４〜７本供給されて編成されうる。
【００２２】
上記導電性糸は、ナノ金属単繊維２０〜３０％、上記ベース糸単繊維７０〜８０％で紡績された糸からなりうる。
【発明の効果】
【００２３】
本発明の実施形態に係るスマートフォン用手袋によれば、ナノ金属単繊維とウールまたはアクリル材質のベース糸単繊維が共に紡績された導電性糸が用いられることによって、染色が自由にできるという効果を奏する。
【００２４】
また、本発明の実施形態に係るスマートフォン用手袋によれば、導電性糸が入っている部分と導電性糸が入っていない部分との間の色差が大きくないため、優れたデザインの製品を製作できるという長所がある。
【００２５】
さらに、本発明の実施形態に係るスマートフォン用手袋によれば、導電性糸が入っている部分と導電性糸が入っていない部分との間に糸の厚さの差による断層が生じなくなるという効果を奏する。
【００２６】
本発明の効果は、以上で言及したものに制限されず、言及していない他の効果は、下記の記載から本発明の属する技術分野における通常の知識を有する者に明確に理解されうる。
【図面の簡単な説明】
【００２７】
【図１】本発明の実施形態に係るスマートフォン用手袋の構造を説明するための図である。
【図２】本発明の実施形態に係る導電性糸の構造を説明するための図である。
【図３】本発明の実施形態によって導電性糸とベース糸が撚れた撚糸を説明するための図である。
【図４】本発明の実施形態によって導電性糸が２本撚れた撚糸を説明するための図である。
【図５】本発明の実施形態によってベース糸が２本撚れた撚糸を説明するための図である。
【発明を実施するための形態】
【００２８】
本発明の目的および効果、そしてそれらを達成するための技術的構成は、添付の図面と共に詳細に後述される実施形態を参照すれば明確になる。本発明を説明するにおいて公知の機能または構成についての具体的な説明が本発明の要旨を不要に曖昧にするおそれがあると判断される場合には、その詳細な説明を省略する。そして、後述する用語は、本発明における構造、役割および機能などを考慮して定義された用語であって、これはユーザ、運用者の意図または慣例などによって変わりうる。
【００２９】
しかし、本発明は以下で開示される実施形態に限定されるものではなく、互いに異なる多様な形態で実現されうる。ただし、本実施形態は本発明の開示が完全であるようにし、本発明の属する技術分野における通常の知識を有する者に発明の範疇を完全に理解させるために提供されるものであり、本発明は単に特許請求の範囲に記載された請求の範囲により定義されるだけである。したがって、その定義は、本明細書全般に亘る内容に基づいて行われるべきである。
【００３０】
明細書全体において、ある部分がある構成要素を「含む」というとき、これは特に反対の記載がない限り、他の構成要素を除くわけではなく、他の構成要素をさらに含むことができることを意味する。
【００３１】
以下では、本発明の実施形態に係るスマートフォン用手袋の構成および作用効果などについて添付の図面を参照しつつ、さらに具体的に説明する。
【００３２】
図中に示される図面符号１００は、本発明の実施形態に係るスマートフォン用手袋を指す。
【００３３】
本発明の実施形態に係るスマートフォン用手袋１００において手袋本体１１０および指部分１２０の外形は、図１に示すように、一般の手袋と同様の形態からなりうる。また、一般の手袋のように手袋を織る機械を通じて複数本が編成されてなされうる。また、スマートフォン、タブレットＰＣなどのように静電式ディスプレイパネルが取り付けられたモバイル機器または電子機器を、手袋を嵌めた状態でも操作できるように、少なくとも指部分１２０の一部は、電気が通れるように導電性糸２００が含まれている状態で編成される。
【００３４】
図２は、本発明の実施形態に係る導電性糸の構造を説明するための図である。
【００３５】
本発明の実施形態に係るスマートフォン用手袋１００が製造される過程で用いられる導電性糸２００は、図２に示すように、ナノ金属単繊維２１０とウールまたはアクリル材質のベース糸単繊維２２０とが共に紡績された糸が用いられる。図２において、ナノ金属単繊維２１０は点線で、ベース糸単繊維２２０は、実線で示されている。
【００３６】
本発明の実施形態に係るスマートフォン用手袋１００において、導電性糸２００は、ナノ金属単繊維（２１０）２０〜３０％、ベース糸単繊維（２２０）７０〜８０％の割合で紡績された糸からなりうる。
【００３７】
図２に示すように、ナノ金属単繊維２１０とウールまたはアクリル材質のベース糸単繊維２２０とが不規則的に配列されることによって、導電性糸２００を染める過程でナノ金属単繊維２１０は染められなくてもベース糸単繊維２２０が染められることによって、全体としては、染められた効果が現れる。すなわち、従来のスマートフォン用手袋に用いられた導電性糸は、ベース糸に金属コーティングがなされることによって、導電性糸自体は染められていないが、本発明の実施形態に係るスマートフォン用手袋１００に用いられた導電性糸２００の場合は、ベース糸単繊維２２０が染められることによって、全体的に染められた効果を有するようになる。
【００３８】
一方、本発明の実施形態に係るスマートフォン用手袋１００に用いられるベース糸３００は、前述した導電性糸２００が染められた色に合せて染められた糸が用いられる。したがって、導電性糸２００が含まれて電気が通る部分と導電性糸２００が含まれていない部分との間の色差が殆どなくなる。すなわち、従来のスマートフォン用手袋の場合には、導電性糸が含まれている部分はそうでない部分と肉眼でも確認できる程度に区分されていたが、本発明の実施形態に係るスマートフォン用手袋１００は、導電性糸２００とベース糸３００とが殆ど類似の色を帯びるようになり、導電性糸２００が含まれている部分とそうでない部分との間が肉眼では区分できない程度になる。
【００３９】
本発明の実施形態に係るスマートフォン用手袋１００は、前述したような導電性糸２００とベース糸３００とを用いて手袋を織る機械を通じて製造されうる。手袋を織る機械を通じてスマートフォン用手袋１００の手袋本体１１０と指部分１２０とが編成される過程で手袋本体１１０と指部分１２０は、導電性糸２００が１〜２本供給される中でベース糸３００が３〜５本供給されて編成されうる。もちろん、前述した指部分１２０は、一部分のみ導電性糸２００が含まれている状態で編成されうる。例えば、指の最初の関節に対応する指部分１２０のみ導電性糸２００が含まれている状態で編成されうる。
【００４０】
また、本発明の実施形態に係るスマートフォン用手袋１００は、前述したように、手袋本体１１０と指部分１２０とが導電性糸２００が含まれている構造からなってもよいが、指部分１２０または指部分１２０の一部のみ導電性糸２００が含まれている構造からなってもよい。
【００４１】
手袋を織る機械を通じて複数本の糸が編成される過程で指部分１２０は、導電性糸２００が１〜２本供給される中でベース糸３００が３〜５本供給されて編成され、手袋本体１１０は、ベース糸３００のみ４〜７本供給されて編成された構造からなりうる。この場合にも、指部分１２０の一部のみ導電性糸２００が１〜２本供給される中でベース糸３００が３〜５本供給されて編成され、指部分１２０の残りの部分は、ベース糸３００のみ４〜７本供給されて編成された構造からなりうる。
【００４２】
一方、本発明の実施形態に係るスマートフォン用手袋１００は、導電性糸２００とベース糸３００とが、図３に示すように、撚れて形成された撚糸であって、手袋本体１１０と指部分１２０が編成されうる。
【００４３】
そして、本発明の実施形態に係るスマートフォン用手袋１００は、手袋を織る機械を通じて手袋本体１１０と指部分１２０とが編成される過程で導電性糸２００とベース糸３００が撚れた撚糸が４〜７本供給されて編成されうる。
【００４４】
また、本発明の実施形態に係るスマートフォン用手袋１００において、指部分１２０は、図４に示すように、導電性糸２００が２本ずつ撚れて形成された撚糸で編成される一方、手袋本体１１０は、図５に示すように、ベース糸３００が２本ずつ撚れて形成された撚糸で編成されうる。この場合にも、指部分１２０の一部のみ導電性糸２００が２本ずつ撚れて形成された撚糸で編成され、指部分１２０の残りの部分は、ベース糸３００が２本ずつ撚れて形成された撚糸で編成されうる。
【００４５】
本発明の実施形態に係るスマートフォン用手袋１００は、手袋を織る機械を通じて手袋本体１１０と指部分１２０とが編成される過程で指部分１２０は、導電性糸２００が２本ずつ撚れた撚糸が１〜２本供給される中でベース糸３００が２本ずつ撚れた撚糸が３〜５本供給されて編成され、手袋本体１１０は、ベース糸３００が２本ずつ撚れた撚糸が４〜７本供給されて編成されうる。この場合にも、指部分１２０の一部のみ導電性糸２００が２本ずつ撚れた撚糸が１〜２本供給される中でベース糸３００が２本ずつ撚れた撚糸が３〜５本供給されて編成され、指部分１２０の残りの部分は、ベース糸３００が２本ずつ撚れた撚糸が４〜７本供給されて編成されうる。
【００４６】
また、指部分１２０または指部分１２０の一部は、導電性糸２００とベース糸３００が撚れて形成された撚糸で編成され、手袋本体１１０と指部分１２０の残りの部分とは、ベース糸３００が２本ずつ撚れて形成された撚糸で編成されうる。
【００４７】
手袋を織る機械を通じて手袋本体１１０と指部分１２０とが編成される過程で指部分１２０は、導電性糸２００とベース糸３００が撚れた撚糸が１〜２本供給される中でベース糸３００が２本ずつ撚れた撚糸が３〜５本供給されて編成され、手袋本体１１０は、ベース糸３００が２本ずつ撚れた撚糸が４〜７本供給されて編成されうる。この場合にも、指部分１２０は一部のみ導電性糸２００とベース糸３００が撚れた撚糸が１〜２本供給される中でベース糸３００が２本ずつ撚れた撚糸が３〜５本供給されて編成され、指部分１２０の残りの部分は、ベース糸３００が２本ずつ撚れた撚糸が４〜７本供給されて編成されうる。
【００４８】
前述したように構成されたスマートフォン用手袋１００は、導電性糸２００がベース糸３００に殆ど類似の色に染められることによって、導電性糸２００が含まれている部分の色がそうでない部分の色と明確に区別できなくなる。
【００４９】
また、スマートフォン用手袋１００で電気が通るように含まれている導電性糸２００がナノ金属単繊維２１０とベース糸単繊維２２０とが紡績された構造からなることによって、保温性が向上する。
【００５０】
さらに、本発明の実施形態に係るスマートフォン用手袋１００は、電気が通るように導電性糸２００が含まれている部分とそうでない部分との間の厚さの差による断層が形成されないという長所がある。
【００５１】
以上では、添付の図面を参照しつつ、本発明の実施形態を説明したが、本発明の属する技術分野における通常の知識を有する者は、本発明がその技術的思想や必須な特徴を変更することなく、他の具体的な形態で実施されうることが理解できる。例えば、当業者は、各構成要素の材質、大きさなどを適用分野によって変更したり、開示された実施形態を組み合わせまたは置換して本発明の実施形態に明確に開示されていない形態で実施できるが、これもやはり本発明の範囲から逸脱しない。したがって、以上で記述した実施形態は、あらゆる面で例示的なものであって、限定的なものとして理解してはならず、このような変形された実施形態は、本発明の特許請求の範囲に記載された技術思想に含まれると言える。
【図１】
0005624223.tif 000002
【図２】
0005624223.tif 000003
【図３】
0005624223.tif 000004
【図４】
0005624223.tif 000005
【図５】
0005624223.tif 000006